(57)【要約】【課題】本発明の課題は、スクリーンに光分散パターンを投影することで、宝飾箱において、宝飾品の特性に応じた装飾が実現した宝飾箱を提供することである。【解決手段】本発明によれば、平行光線を出射する第一の照明手段の第一の照明手段１３０の光軸上で宝飾品１が向き合うように配置することでスクリーンに光分散パターンを投影させ、宝飾品１自体の特性を反映した宝飾品箱を可能としたものである。【選択図】図１
2019111146.tif 000002
【特許請求の範囲】
【請求項１】
宝飾品を収容する箱本体と、前記箱本体に付いた蓋体と、前記蓋体に備えられ、平行光線を出射する第一の照明手段と、第一の照明手段１３０への電力を供給する電源手段と、前記電源手段の入切をさせるスイッチ手段と、前記宝飾品の収容部と第一の照明手段との間に配置され、第一の照明手段からの光線を透過する第一の光透過窓を備えたスクリーンとを有し、前記宝飾品が前記箱本体内にセットされた状態では、前記宝飾品は、前記蓋体を開いた状態で、第一の照明手段から出射する光線が前記宝飾品に入射するように、第一の照明手段からの前記光線の光軸上で向き合い、前記宝飾品の有する光分散特性により反射した光分散パターンが前記スクリーンに写され見えることで装飾を可能としたことを特徴とする宝飾品箱。
【請求項２】
前記宝飾品が第一の照明手段からの前記光線の光軸上で向き合う手段として、前記箱本体内にあり、前記宝飾品を配置する配置台に備えた前記宝飾品を傾斜して配置するための傾斜配置手段を備えたことを特徴とする請求項１記載の宝飾品箱。
【請求項３】
前記傾斜配置手段は、配置溝が前記配置台の表面に対して傾斜して構成されていることを特徴とする請求項２記載の宝飾品箱。
【請求項４】
前記スクリーンは、前記蓋体の内側で、第一の照明手段より前記箱本体側に備えたことを特徴とする請求項１から請求項３のいずれか１つに記載の宝飾品箱。
【請求項５】
前記スクリーンは、前記箱本体側で前記宝飾品を覆う位置に備えたことを特徴とする請求項１から請求項３のいずれか１つに記載の宝飾品箱。
【請求項６】
広がる光を発光する第二の照明手段を備え、第二の照明手段から発射された光は、前記スクリーン上に備えた第二の光透過窓を通過して、前記宝飾品又は／及び前記宝飾品の周りに、照明パターンを写すことで、第一の照明手段と第二の照明手段による混成した装飾を可能としたことを特徴とする請求項１から請求項５記載のいずれか１つに記載の宝飾品箱。
【発明の詳細な説明】
【技術分野】
【０００１】
本発明は、箱内の納められた宝飾品の光分散パターンを表示して装飾とする為の照明具を備えた宝飾品箱に関するものである。
【背景技術】
【０００２】
装飾の為の照明具を備えた宝飾品箱の先行文献として特許文献１から特許文献８が見出され、図４に示すものである。特許文献１は、４−Ａのものであり、リングを収める台座にｖ字形状の凹みを設けて、リングを照明したときのリングの陰影がハート型にするものである。特許文献２は、４−Ｂに示すものであり、蓋体の先端に取り付け、外し自在の照明具（ＬＥＤ）を付け、蓋をあけた状態で、照明具の光が宝飾品に当たる状態にしたものである。特許文献３は、４−Ｃに示すものであり、蓋を開閉するヒンジが開閉方向にバネ付勢され、ヒンジが照明具を点灯するスイッチを兼用した構成である。
特許文献４は、４−Ｄに示すものであり、蓋開閉時に照明、ＢＧＭ、メッセージなどのスイッチが入るもので、ＢＧＭ、メッセージのデータをロードするためのコネクタを有している。特許文献５は、４−Ｅに示すものであり、蓋内にＬＥＤ、スイッチを有する。
特許文献６は、４−Ｆに示すものであり、宝石箱の蓋に紫外線照射手段を有し、紫外線により天然ダイアモンドの蛍光パターンの観測を可能とするものである。
以上の特許文献１から特許文献６までに共通な特徴として、ＬＥＤ、紫外線照射手段等の照明手段が、蓋側の内側にあり、且つ、露出して見える構成となっていることである。
照明手段は、装飾照明という目的を十分発揮しているが、宝飾品対象という特殊な事情を考慮すると、必ずしも十分ではない状況にある。すなわち、ＬＥＤ等の照明手段という技術的手段を露出し、購買者に目に見えるようにすることは、「安っぽく見え」好ましくないという感性を持つ人がかなりの割合でいる。極端に言えば、配線パターンを露出することは、もっと好ましくない。ここで求められることは、装飾目的の照明されたパターンのみであり、それ以外の技術的部分は、余程の特殊な目的以外は、感覚的に好ましくないのである。このことは、宝飾箱では特に重要な要素であるが、考慮されていない欠点である。
特許文献７は、４−Ｇに示すものであり、前６つの先行文献とは、違い、唯一、発光手段が容器本体側にあり、リング等の宝飾品を下から照らし、蓋の上に透光手段を付けることで、蓋が閉じた状態でも透けてくる光を見えるようにしたものである。透光手段の上には、リングを載せる定板があり、この板も光を透過するために透明である必要がある。その結果、透光手段が定板を通して見え、例えば、ガラス等の定板では、通常、リングが載っている起毛体のような柔らかで高級なイメージが出にくいと思われる。蓋側に照明手段があるものとは、違った構成範囲のものと言える。
特許文献１から特許文献７は、宝飾品箱において宝飾品の周りの装飾のための照明に関するものであるが、宝飾品自体の特徴とは何ら関係のない照明であった。
特許文献８は、４−Ｈに示すものであり、宝石の評価装置であり、載置台の上に宝石をセットし、平行光源との間に半透明のスクリーンを配置し、スクリーンに設けた透光部を介して光を宝石にあて、宝石による分散光をスクリーンに投影させて、スクリーンの裏から視認して分散パターンから宝石の品質を評価する暗箱である。
これは、宝飾品自体の特性を評価するものであるから、特許文献１から特許文献７とは違ったものとなっている。しかしながら、宝飾品箱とは違ったものであり、宝飾箱の装飾をするものではない。そして、宝石自体は見えにくくなる欠点もある。
上記のような先行文献がある中で、宝石等の宝飾品らしい光装飾を与える宝石箱はないか検討した。光装飾は、宝飾品の特性を反映することが望ましい。
【先行技術文献】
【特許文献】
【０００３】
【特許文献１】特許第５２６０１４３
【特許文献２】実用新案登録第３１７０４８５
【特許文献３】特許第４６２５４０９
【特許文献４】特開２００８−２７９２２７
【特許文献５】実用新案登録３１１１６０８
【特許文献６】特開２００１−２１１９２２
【特許文献７】実用新案公報Ｈ０３−６７１２４
【特許文献８】特開２００６−１４５２８０
【発明の概要】
【発明が解決しようとする課題】
【０００４】
宝飾品の主なものは、カット面を有していて、平行光が当たるとカット面に応じた光の分散を起こす。そのことに注目して、本願の課題は、スクリーンに光分散パターンを投影することで、宝飾品箱において、宝飾品の特性に応じた装飾が実現した宝飾品箱を提供することである。
【課題を解決するための手段】
【０００５】
以下、請求項に沿って記述する。
請求項１記載の発明は、宝飾品箱であって、
宝飾品を収容する箱本体と、前記箱本体に付いた蓋体と、前記蓋体に備えられ、平行光線を出射する第一の照明手段と、第一の照明手段１３０への電力を供給する電源手段と、前記電源手段の入切をさせるスイッチ手段と、前記宝飾品の収容部と第一の照明手段との間に配置され、第一の照明手段からの光線を透過する第一の光透過窓を備えたスクリーンとを有し、前記宝飾品が前記箱本体内にセットされた状態では、前記宝飾品は、前記蓋体を開いた状態で、第一の照明手段から出射する光線が前記宝飾品に入射するように、第一の照明手段からの前記光線の光軸上で向き合い、前記宝飾品の有する光分散特性により反射した光分散パターンが前記スクリーンに写され見えることで装飾を可能としたことを特徴とする。
【０００６】
請求項２記載の発明は、請求項１記載の宝飾品箱において、
前記宝飾品が第一の照明手段からの前記光線の光軸上で向き合う手段として、前記箱本体内にあり、前記宝飾品を配置する配置台に備えた前記宝飾品を傾斜して配置するための傾斜配置手段を備えたことを特徴とする。
【０００７】
請求項３記載の発明は、請求項２記載の宝飾品箱において、
前記傾斜配置手段は、配置溝が前記配置台の表面に対して傾斜して構成されていることを特徴とする。
【０００８】
請求項４記載の発明は、請求項１から請求項３のいずれか１つに記載の宝飾品箱において、
前記スクリーンは、前記蓋体の内側で、第一の照明手段より前記箱本体側に備えたことを特徴とする。
【０００９】
請求項５記載の発明は、請求項１から請求項３のいずれか１つに記載の宝飾品箱において、
前記スクリーンは、前記箱本体側で前記宝飾品を覆う位置に備えたことを特徴とする。
【００１０】
請求項６記載の発明は、請求項１から請求項５記載のいずれか１つに記載の宝飾品箱において、広がる光を発光する第二の照明手段を備え、第二の照明手段から発射された光は、前記スクリーン上に備えた第二の光透過窓を通過して、前記宝飾品又は／及び前記宝飾品の周りに、照明パターンを写すことで、第一の照明手段と第二の照明手段による混成した装飾を可能としたことを特徴とする。
【発明の効果】
【００１１】
以上の様に構成されているので、本発明による宝飾品箱では、宝飾品の特性に応じた装飾を実現した宝飾箱を提供できる。
【図面の簡単な説明】
【００１２】
【図１】本発明にかかる宝飾品箱の一実施態様を示す図である。
【図２】本発明にかかる宝飾品箱の別の実施態様を示す図である。
【図３】本発明にかかる宝飾品箱に利用する場合に、宝飾品を傾斜させセットする傾斜セット手段を示す図である。
【図４】従来の宝飾品箱を示す図である。
【発明を実施するための形態】
【００１３】
本発明にかかる宝飾品箱は、宝飾品１を収容する箱本体１１０とこれに付いた蓋体１２０と、蓋体１２０に備えられ、平行光線を出射する第一の照明手段（ＬＥＤ等の発光手段）１３０、第一の照明手段１３０へ電力を供給する電源手段と、電源手段の入切をさせるスイッチ手段と、宝飾品１の収容部と第一の照明手段１３０との間に配置されるスクリーン１４０と、を有し、宝飾品１の置かれた状態は、蓋体１２０を開いた状態で、出射する光線が宝飾品１に入射するように、第一の照明手段１３０と向き合い、宝飾品１の有する光分散特性による反射した光分散パターンをスクリーン１４０に写して見えるようにしたことを特徴とする装飾目的の宝飾品箱である。
箱本体１１０と蓋体１２０の端には、開閉のためのヒンジが付いていると都合がよい。
又、スイッチ手段は、手動で行ってもよいが、蓋の開閉により、特に開いた場合に電源が入ることが好ましい。尚、図においては、スイッチ手段や電源手段は、図示は省略してあるが、あるのは当然である。
尚、本願で記述するスクリーンは、光を投影し、見えるようにする膜や壁などの被投影体を示す。
【００１４】
本発明にかかる宝飾品箱の一実施態様として、上記の構成をスクリーン１４０の配置の違った二例を図１に示す。
１−Ａに斜視図、１−Ｂにはその側面図を示す。両者は、スクリーン１４０が宝飾品１を覆うように箱本体１１０側に配置されているので、スクリーン１４０に写った光分散パターンは、宝飾品１がある側とは反対側から観察する。
他方、１−Ｃは斜視図、１−Ｄはその側面図を示す。両者は、スクリーン１４０が第一の照明手段１３０を覆うように蓋体１２０の内側に配置されている。スクリーン１４０に写った光分散パターンは、宝飾品１がある側から観察する。
尚、両者ともスクリーン１４０の第一の照明手段１３０と向き合う部分は、光を通過させる第一の光透過窓１４１を備えている。その他の部分は、光分散パターンを写すためのスクリーン面なので、１−Ａと１−Ｂでは、半透過性、１−Ｃと１−Ｄでは、光不透過性（半透過性でもよい）で、スクリーンで反射（乱反射）した光線が目に入って光分散パターンが装飾として認識できる。
【００１５】
このような構成では、宝飾品１に特有の光分散パターンをスクリーン１４０に写すことで装飾することができる。
更に、図２では、上記の構成に、宝飾品１の特性とは無関係な装飾照明を加え、混成した装飾効果を与えるものである。
図２では、図１の１−Ｄの構成に宝飾品１とは無関係な装飾照明を加えたものである。
１−Ｂのものでも可能であるが、広がる光を通過させる必要があり、光分散パターンを写すスクリーン上の広さも狭くなるので、１−Ｄの構成に加える方が有利である。
追加構成部分を説明すると、広がる光を発光する第二の照明手段１５０を備え、発射された光は、スクリーン１４０の第二の光透過窓１４２を通過して、宝飾品１の周りに、照明パターンＢを結ぶ。照明パターンＢは、第二の照明手段１５０の発光色や、第二の照明手段１５０の前に置かれる色フィルタの色や、ハートなどのパターンである。尚、１−Ｄの構成での第一の照明光源（平行光線）による宝飾品１の光分散パターンは、スクリーン１４０上にパターンＡとして観測でき、両者による混成した装飾効果を得ることができる。
尚、第一の照明手段１３０と第二の照明手段１５０の強度は、独立に設定できる方が好ましい。
【００１６】
図３は、本発明にかかる宝飾品箱に利用する場合に、宝飾品を傾斜させセットする傾斜セット手段を示す図である。
宝飾品１の置かれた状態は、蓋体１２０を開いた状態で、出射する光線が宝飾品１に入射するように、第一の照明手段１３０と向き合うことが必要である。そのため、宝飾品１自体の配置仕方も、傾斜した方が都合がよい。傾斜しない場合は、第一の照明光源は、真上に配置する必要があり、蓋本体１２０内から飛び出して配置する等の面倒さがある。
３−Ａには、宝飾品１（この例では指輪）が、配置台１１１にある配置溝１１２に嵌っている状態を示す。３−Ｂでは、箱本体１１０と配置台１１１と配置溝１１２のみを示す。Ａ−Ａで切った断面は３−Ｄのように、配置溝１１２は傾斜を有しているため、溝に嵌った宝飾品１は傾斜を有することになる。３−Ｃには、この状態を示す。
３−Ｅでは、３−Ａとは直角方向に溝が向いている場合であり、この場合は、溝は、傾斜させずに、宝飾品１自体を傾斜させておかなければならないので、３−Ａの配置の方が好都合である。
３−Ｆには、宝飾品１が傾斜した結果、第一の照明手段１３０の光軸上にあり、宝飾品１が第一の照明手段１３０と向き合った状態を示している。
【産業上の利用可能性】
【００１７】
以上のように本発明にかかる宝飾品箱は、宝飾品の特性に応じた装飾が実現した宝飾箱を提供できるため、産業上利用して極めて好都合である。
【００１８】
１  宝飾品
１１０  箱本体
１１１  配置台
１１２  配置溝
１２０  蓋体
１３０  第一の照明手段
１４０  スクリーン
１４１  第一の光透過窓
１４２  第二の光透過窓
１５０  第二の照明手段
【図１】
2019111146.tif 000003
【図２】
2019111146.tif 000004
【図３】
2019111146.tif 000005
【図４】
2019111146.tif 000006